(57)【要約】【課題】  開状態にある蓋にさらに開き方向に力が加わった場合にも壊れにくい蓋構造を持つ電子機器を提供する。【解決手段】  スライド移動可能で且つスライド端にて回転可能な蓋において、電池収納部に設けられたリブが電池蓋のスライド移動時にはガイドレールになり、電池蓋の開き方向に対して力をかけた際には電池蓋の一部が電池収納部のガイドレールに突き当たるように構成する。【選択図】  図１３
2015022173.tif 000002
【特許請求の範囲】
【請求項１】
本体部に設けられた開口部と、
前記本体部に設けられた回転軸と嵌合する長穴形状の軸穴部が設けられた腕部と、前記本体部に設けられたガイドレール部と摺動可能な摺動面とを備え、前記ガイドレール部及び前記軸穴部に沿ってスライド移動可能であり、スライド移動端で前記回転軸を中心として回動可能な蓋部とを備え、
前記蓋部を前記スライド移動端で前記回転軸を中心として回動させた際に、前記本体部の当て面に前記蓋部の端部が当接するとともに、前記腕部の前記摺動面とは異なる位置に形成された当て面が前記ガイドレール部と当接することを特徴とする電子機器。
【請求項２】
前記開口部は、電池を挿入する電池収納部の開口であることを特徴とする請求項１に記載の電子機器。
【請求項３】
さらに、被写体を撮像する撮像手段を備えたことを特徴とする請求項１または２に記載の電子機器。
【発明の詳細な説明】
【技術分野】
【０００１】
本発明は、電子機器に関するものである
【背景技術】
【０００２】
撮像装置などの電子機器は近年小型化し、持ち運びが気軽にできるものが増えたため、何処でも電子機器を使用できるようになった。このため、電子機器の筐体に電池収納部や交換可能なメモリ収納部を構成して、この収納部内に電源用の電池やメモリを着脱可能に内蔵しているものが多くなっている。そうした電池やメモリをゴミなどから守る為に、収納部に蓋部を設け、蓋部を開閉することで電池、メモリの挿抜をすることができる電子機器が増えている。
【０００３】
そのような開閉式の蓋部を備えた電子機器において、蓋部を回転させることで開閉する方式の場合、開いた状態よりさらに開き方向に力をかけられた場合に破壊しやすいという問題があった。そこで、電池の蓋部が２軸の回転軸を持ち、開閉する際には１軸で回転し、開いた状態よりさらに開き方向に力が掛かった際に２軸目が回転することが考案されている（特許文献１参照）。このように構成することで、蓋部を１８０°回転させてケース筐体の外面に密着させることにより、破損を防止することができる。
【先行技術文献】
【特許文献】
【０００４】
【特許文献１】特開２００８−１０４７８号
【発明の概要】
【発明が解決しようとする課題】
【０００５】
しかしながら、特許文献１に記載されている構成例では、電池蓋に２軸の回転軸を持たせる必要があるために構造が複雑になり、部品点数の増加、組み立ての複雑化が課題として挙げられる。
【０００６】
本発明の目的は、部品点数を増やすことなく、電池蓋の開き方向への力に強い蓋構造を持つ電子機器を提供することである。
【課題を解決するための手段】
【０００７】
上記目的を達成するために、本発明の電子機器は、本体部に設けられた開口部と、前記本体部に設けられた回転軸と嵌合する長穴形状の軸穴部が設けられた腕部と、前記本体部に設けられたガイドレール部と摺動可能な摺動面とを備え、前記ガイドレール部及び前記軸穴部に沿ってスライド移動可能であり、スライド移動端で前記回転軸を中心として回動可能な蓋部とを備え、前記蓋部を前記スライド移動端で前記回転軸を中心として回動させた際に、前記本体部の当て面に前記蓋部の端部が当接するとともに、前記腕部の前記摺動面とは異なる位置に形成された当て面が前記ガイドレール部と当接することを特徴とする。
【発明の効果】
【０００８】
本発明によれば、スライド移動可能で且つスライド端にて回転可能な蓋構造を持つ電子機器において、蓋部が回動方向に開いている状態より、さらに開き方向に対して力をかけた際に、分散して力を受けることが可能なため、破壊しにくい蓋構造を提供することができる。
【図面の簡単な説明】
【０００９】
【図１】実施例１に係わるビデオカメラの主に前面構成を示す斜視図。
【図２】実施例１に係わるビデオカメラの主に背面構成を示す斜視図。
【図３】実施例１に係わるビデオカメラを分解した斜視図。
【図４】底面カバーユニット１１１の斜視図。
【図５】電池蓋１０７の斜視図。
【図６】図４のＡに示す回転軸周辺を拡大した図。
【図７】電池ボックスユニット１１４の前面構成を示す斜視図。
【図８】電池ボックスユニット１１４の側面構成を示す側面図。
【図９】電池蓋１０７がスライドしている状態の底面カバーユニット１１４の背面図。
【図１０】図９のＢーＢ’断面を示した図。
【図１１】電池ボックスユニット１１４に底面カバーユニット１１１を取り付けた側面図。
【図１２】図１１の状態より、電池蓋１０７を矢印Ｃ方向へ移動させた状態の図。
【図１３】図１２の状態より、電池蓋１０７を矢印Ｄ方向へ回転させた開状態の図。
【図１４】図１３のＤに示す回転軸１１６周辺を拡大した状態の図。
【発明を実施するための形態】
【００１０】
以下に、本発明の好ましい実施形態を、添付の図面に基づいて詳細に説明する。
【００１１】
（実施例１）
図１は、本発明の実施例１における電子機器であるビデオカメラの外観を示す前面斜視図、図２は、その背面斜視図である。本体部１０１には、撮影レンズ１０２、静止画撮影の開始を指示するためのレリーズ釦１０３、ビデオカメラを起動するための電源スイッチ１０５が設けられている。また、本体部１０１の後ろ側には、ストラップを固定するためのストラップピン１０６、電池を取り出す際に開閉する蓋部１０７が設けられている。さらに、撮影画像を表示する表示パネルユニット１０４、撮影レンズ１０２により結像する被写体を撮像する不図示の撮像ユニットを備えている。
【００１２】
次に、図３は、実施例１のビデオカメラを分解した斜視図である。図３において、メイン基板１０８は電源ＩＣやメモリなどの電気部品とＨＤＭＩ（登録商標）やＵＳＢなどの端子を備えている。前面カバーユニット１０９はレンズ１０２や図示しないイメージセンサなどを保持し、カメラの前面部を構成する。上面カバーユニット１１０にはパネルユニット１０４が取り付けられており、上面部を構成する。底面カバーユニット１１１には蓋部１０７が取り付けられ、背面及び底面部を構成する。左カバーユニット１１２はレリーズ釦１０３を備え、左側面部を構成する。右カバーユニット１１３は右側面部を構成する。電池ボックスユニット１１４は電池を挿入可能であり、挿入された電池を保持する。
【００１３】
図３を用いて、実施例１のビデオカメラの組み方を簡単に説明する。まず、前面カバーユニット１０９に対してメイン基板１０８を取り付けた後、左カバーユニット１１２と右カバーユニット１１３をそれぞれにメイン基板１０８に対して組み込み、上面カバーユニット１１０をメイン基板に取り付ける。次に、電池ボックスユニット１１４をメイン基板１０８に対して組みつけ、最後に底面カバーユニット１１１を上面カバーユニット１１０に対して外形を合わせるように組みつけることで一体化する。
【００１４】
図４、図５、図６を用いて、底面カバーユニット１１１の構成について説明する。図４は、撮影方向を上方向に向けて撮影レンズ１０２の光軸を上下方向とした状態を示す底面カバーユニット１１１の斜視図である。図５は、蓋部１０７の斜視図である。また、図５は、図４の破線Ａで囲む回転軸周辺を拡大した図である。
【００１５】
図４に示すように、底面カバーユニット１１１は、底面カバー１１５と蓋部１０７によって構成される。図５に示すように、蓋部１０７は、破線で示す腕部１０７ａを備えている。腕部１０７ａには、長穴形状の軸穴部１１７が設けられている。また、腕部１０７ａの上面には、後述する電池ボックス１１８のガイドレール部と当接する当て面１０７ｄが設けられている。さらに、蓋部１０７を開閉する際にクリック力を出すためのクリック当接部１０７ｂ、回転方向に蓋部１０７を開いた際に電池ボックスユニット１１４に突き当たることで、ストッパーとして機能する第１の端部１０７ｃを備えている。また、蓋部１０７は、閉状態で上面カバーユニット１１０側には第２の端部１０７ｅが位置する。図６に示すように、底面カバー１１５には回転軸１１６が設けられており、この回転軸１１６と電池蓋１０７に設けられた腕部１０７ａの長穴形状の軸穴部１１７とが嵌合する。そして、蓋部１０７は、底面カバー１１５に対してスライド移動可能かつ回動可能に支持される。
【００１６】
図７、図８を用いて、電池ボックスユニット１１４の詳細な構成を説明する。図７は、電池ボックスユニット１１４の前面斜視図であり、図８は、電池ボックスユニット１１４の側面図である。電池ボックスユニット１１４は、電池を収納する電池ボックス１１８と、収納された電池を排出する不図示の排出バネ、電池ボックスユニット１１４の一面を構成する板金１１９、電池を保持する電池ロックレバー１２０を備える。さらに、電池ロックレバー１２０を一定方向へ付勢する開閉バネ１２１、電池ロックレバー１２０と嵌合して軸支するシャフト１２２を備えている。また、板金１１９は、蓋部１０７を開閉する際にクリック力を出すためのクリック部１１９ａを備えている。また、電池ボックス１１８はガイドレール部１１８ｂを備え、蓋部１０７がスライド移動する際に蓋部１０７の摺動面と摺動可能に構成することにより、ガイドとしての機能を果たす。
【００１７】
図９、図１０を用いて、底面カバーユニット１１１と電池ボックス１１４を一体化した状態の回転軸１１６の保持状態について説明する。図９は、底面カバーユニット１１１の一部である蓋部１０７がスライドしている状態の背面図、図１０は、図９のＢーＢ’断面を示した図である。電池ボックス１１８は、凹形状の回転軸受け部１１８ａを備えており、底面カバーユニット１１１一体化した際に、底面カバー１１５に設けられた回転軸１１６と嵌合する。このような構成にすることにより、光軸方向への力が回転軸１１６に加わった際に回転軸１１６の一端を支える役割を果たし、回転軸１１６の強度アップに寄与している。
【００１８】
図１１、図１２、図１３、図１４を用いて、底面カバーユニット１１１と電池ボックスユニット１１４が一体に組まれた状態での蓋部１０７の動作について説明する。図１１〜１４は、電池ボックスユニット１１４に回転軸１１６を介して蓋部１０７が支持された状態の側面図であるが、説明の為に底面カバー１１５を取り除いて示しているため、回転軸１１６は便宜上、破線にて示す。
【００１９】
図１２は、図１１に示すように蓋部１０７が閉まっている状態から矢印Ｃ方向へと蓋部１０７をスライド移動させた状態を示す図である。蓋部１０７は、回転軸１１６と嵌合している軸穴部１１７の長穴の範囲内で軸穴部１１７とガイドレール部１１８ｂに沿ってスライド移動することが可能である。図１３は、図１２に示す蓋部１０７がスライド移動端にある状態から蓋部１０７を底面カバー１１５の回転軸１１６を中心として、矢印Ｅ方向に回転させることで電池を挿入する電池収納部の開口部が開いた状態を示す図である。図１４は、図１３の破線Ｄで示す回転軸１１６周辺を拡大した図である。図１３の状態で開き方向に力を加えた際に、蓋部１０７は、ストッパーとして機能する第１の端部１０７ｃが電池ボックス１１８の当て面１１８ｃに突き当たる。それと同時に、蓋部１０７のレール当て面１０７ｄと電池ボックス１１８のガイドレール部１１８ｂとが当接することで、回動を規制する。図１４に示すように、第１の端部１０７ｃは、ガイドレール部１１８ｂと摺動する摺動面１０７ｆとは異なる位置に形成されている。
【００２０】
以上のように構成にすることにより、蓋部１０７の開き方向に対して力をかけた際に、回転軸１１６を中心として回動した蓋部１０７の第１の端部１０７ｃが電池ボックス１１８の当て面１１８ｃと当接する。さらに、蓋部１０７のレール当て面１０７ｄが電池ボックス１１８のガイドレール部１１８ｂに当接する。すなわち、第１の端部１０７ｃと当て面１１８ｃとの接点が支点となって蓋部１０７にかかる力を回転軸１１６及びレール当て面１０７ｄとガイドレール部１１８ｂとの接点で受け止める。このように、より多くの箇所で蓋部１０７にかかる力を受け止めるため、その力を分散させることができる。
【００２１】
以上、本発明の好ましい実施形態について説明したが、本発明は上記実施形態に限定されるものではなく、本発明の要旨の範囲内で種々の変形及び変更が可能である。
【符号の説明】
【００２２】
１０１  ビデオカメラ本体
１０７  蓋部
１０７ａ  腕部
１０７ｂ  クリック当接部
１０７ｃ  第１の端部
１０７ｄ  当て面
１１４  電池ボックスユニット
１１５  底面カバー
１１６  回転軸
１１７  軸穴部
１１８  電池ボックス
１１８ａ  回転軸受け部
１１８ｂ  ガイドレール部
１１８ｃ  当て面
【図１】
2015022173.tif 000003
【図２】
2015022173.tif 000004
【図３】
2015022173.tif 000005
【図４】
2015022173.tif 000006
【図５】
2015022173.tif 000007
【図６】
2015022173.tif 000008
【図７】
2015022173.tif 000009
【図８】
2015022173.tif 000010
【図９】
2015022173.tif 000011
【図１０】
2015022173.tif 000012
【図１１】
2015022173.tif 000013
【図１２】
2015022173.tif 000014
【図１３】
2015022173.tif 000015
【図１４】
2015022173.tif 000016